(57)【要約】【課題】撮影した画像データを簡単な操作で送信することが可能な、デジタルカメラを提供する。【解決手段】サーバとの回線を接続してサーバに対して接続通知（プロトコル）を行い（Ｓ１）、リストの要求を送信する。デジタルカメラからリストの要求があるか否かを判断し（Ｓ１１）、要求が無ければステップＳ１３に進み、要求があれば要求されたリストを応答する（Ｓ１２）。デジタルカメラはそのリストを取得して（Ｓ２）、更新データがあるか否かを判断し（Ｓ３）、無ければステップＳ６に進み、更新データがあればデータの要求を送信する。サーバはデータ要求があるか否かを判断し（Ｓ１３）、要求が無ければステップＳ１５に進み、要求があればそのデータを送信する（Ｓ１４）。デジタルカメラはそのデータを取得し（Ｓ４）、データが終了するまで動作を継続する（Ｓ５）データの取得が終了すると、回線を切断して（Ｓ６）取得したデータをメモリに記憶する（Ｓ７）。サーバはデジタルカメラから切断通知を受信するとステップＳ１５により終了を判断して動作を終了する。【選択図】　　　図２
2004135204.tif 000002
【特許請求の範囲】
【請求項１】
通信機能を有するデジタルカメラであって、
通信回線を介してデジタルデータを送信あるいは受信する通信手段と、モニタ画像、再生画像、及びカメラの状態表示を行う表示手段と、機能選択、撮影指示、及び各種設定を行う操作手段と、通信内容を記憶する記憶手段と、前記全ての手段の制御を司る制御手段と、を備え、
前記制御手段は、前記通信手段によりサーバとの通信によって得られたデータを撮影した画像と関係付けして前記記憶手段に保存することを特徴とするデジタルカメラ。
【請求項２】
前記制御手段は、前記記憶手段に保存された複数の関連付けデータを前記表示手段に表示し、該表示画面に基づいて前記操作手段により前記関連付けデータを選択可能とすることを特徴とする請求項１に記載のデジタルカメラ。
【請求項３】
前記制御手段は、前記表示手段に表示する関連付けデータをカテゴリにより階層構造が可能なリストとして表示することを特徴とする請求項２に記載のデジタルカメラ。
【請求項４】
前記制御手段は、前記撮影した画像をＥメールに添付して前記通信手段により送信する場合、前記サーバから前記撮影した画像を通信するための情報を取得し、該取得情報に基づいて前記撮影した画像を前記サーバに送信することを特徴とする請求項１に記載のデジタルカメラ。
【請求項５】
前記制御手段は、前記撮影した画像をＥメールに添付して前記通信手段により送信する場合、前記撮影した画像に関連付けデータがあるか否かを判断して前記関連付けデータがある場合は、前記撮影した画像に前記関連付けデータを添付して前記通信手段により前記サーバに送信することを特徴とする請求項１乃至４の何れか一項に記載のデジタルカメラ。
【請求項６】
前記制御手段は、前記通信手段を交換可能な構成にすることにより、複数の異なるサーバ若しくは通信方法と切替えて通信することを特徴とする請求項１乃至５の何れか一項に記載のデジタルカメラ。
【発明の詳細な説明】
【０００１】
【発明の属する技術分野】
本発明は、デジタルカメラに関し、さらに詳しくは、通信手段を有するデジタルカメラに関するものである。
【０００２】
【従来の技術】
近年パーソナルコンピュータの発達に伴って、その画像入力装置としてのデジタルカメラの利用が広まってきた。特に、新聞社や放送メディア等のマスコミ機関では、報道の即時性から野外で撮影した画像データを通信手段を利用して遠隔地に即座に送信することが要求されている。しかし、現在の方法では、デジタルカメラで撮影した画像データは一旦ＰＣに記憶され、そのデータをＰＣで編集してメール或いはインターネット等の通信手段を利用して送信している。
このようなところから、通信機能をカメラ側に備えたデジタルカメラが提案されている。このような従来技術として特開２００２−３３９９２公報には、画像形成装置が作成した画像レイアウトなどの表示画像情報を画像形成情報提供装置に表示することができる画像形成システムについて開示されている。これによると、デジタルカメラから画像のサイズ情報が印刷装置に送信されると、印刷装置側では画像レイアウトを作成し、レイアウト画面表示情報としてデジタルカメラに送信する。デジタルカメラではレイアウト画面として表示され、操作者が次の画像レイアウトの表示を要求すると、印刷装置の印刷ジョブ処理ソフトウェアでは、次の画像レイアウトを作成し、次のレイアウト画面としてデジタルカメラに表示させる。操作者がデジタルカメラにおいて画像データ送信の入力操作を行った場合、印刷画像データが印刷装置に送信され、印刷装置は、印刷画像データを受信した際に表示中の画像レイアウトで印刷処理を実行する。
また、撮影画像にテキストや音声を関係付けして保存する機能や、撮影画像をＥメールやＦＴＰ（Ｆｉｌｅ　Ｔｒａｎｓｆｅｒ　Ｐｒｏｔｏｃｏｌ）することができる機能を持つ製品としてＲＤＣ−ｉシリーズがある。
【特許文献１】特開２００２−３３９９２公報
【非特許文献１】ＲＤＣ−ｉシリーズ取扱説明書
【０００３】
【発明が解決しようとする課題】
従来のデジタルカメラは、カメラ自体に通信機能を備えていないため、一旦ＰＣ等のメモリに記憶してから送信していたので、操作が煩わしく、しかもカメラ以外にＰＣ等の通信機能を備えた機器が必要であり、コスト的にも不利である。
また、特許文献１は、カメラに通信機能を備えているが、印刷装置との間で画面のサイズ情報により印刷のレイアウトを決定する技術であり、発明の使用目的が印刷に限定されている。
また、ＲＤＣ−ｉ７００ではデータを入力するために３．５インチの大型カラーＬＣＤとタッチパネルを備えているため大型で高コストになっている。一般にデジタルカメラではユーザインターフェイスとして１．５〜２インチ程度のカラーＬＣＤと数個のスイッチを備えているが、小型化、低コスト化のために多くの入力手段を持つことができない。そのため、テキスト情報やＥメールやＦＴＰサーバの通信設定などのデータを入力する操作が煩雑となり大変不便である。
本発明は、かかる課題に鑑み、撮影した画像データを簡単な操作で送信することが可能な、デジタルカメラを提供することを目的とする。
【０００４】
【課題を解決するための手段】
本発明はかかる課題を解決するために、請求項１は、通信機能を有するデジタルカメラであって、通信回線を介してデジタルデータを送信あるいは受信する通信手段と、モニタ画像、再生画像、及びカメラの状態表示を行う表示手段と、機能選択、撮影指示、及び各種設定を行う操作手段と、通信内容を記憶する記憶手段と、前記全ての手段の制御を司る制御手段と、を備え、前記制御手段は、前記通信手段によりサーバとの通信によって得られたデータを撮影した画像と関係付けして前記記憶手段に保存することを特徴とする。
従来のデジタルカメラは、撮影した画像データをメモリに記憶することが目的であったため、カメラ自体に通信機能を持っていなかった。そのため、画像データを遠隔地に送信する場合は、外部メモリに蓄積したデータをメディアごと郵送するか、外部メモリのデータを一旦通信機能を備えたＰＣに記憶して、そのＰＣから送信する方法であった。そこで、本発明ではカメラ自体に通信機能を備え、カメラから直接ネットワーク等の回線を介して遠隔地に画像データを送信するものである。そのとき、送信する画像を通信によって得られたデータと関連付けて記録手段に保存しておくものである。
かかる発明によれば、カメラ自体に通信手段を備え、送信する画像を通信によって得られたデータと関連付けて記録手段に保存しておくので、ＰＣやサーバにおいて検索や分類、文書作成などを自動化することができる。
請求項２は、前記制御手段は、前記記憶手段に保存された複数の関連付けデータを前記表示手段に表示し、該表示画面に基づいて前記操作手段により前記関連付けデータを選択可能とすることを特徴とする。
カメラに保存された関連付けデータは、同じような関連付けデータを毎回通信によって得る場合、通信の手間とコストがかかってしまい、通信量が多くなると選び終わるまでに時間を要してしまう。そこで本発明では、保存済みの関連付けデータを表示部に表示させ、その中から操作手段のキー操作により選択するようにすれば、操作性が向上する。
かかる発明によれば、関連付けデータを操作部により選択可能としたので、必要なデータを選択する時間が短縮でき、操作性を向上することができる。
【０００５】
請求項３は、前記制御手段は、前記表示手段に表示する関連付けデータをカテゴリにより階層構造が可能なリストとして表示することを特徴とする。
表示部に表示された関連付けデータを表示して、操作部により選択することで操作性は格段に向上するが、関連付けデータの並べ方を更に工夫すれば更に操作性が向上する。そこで本発明では、データをカテゴリ毎に階層構造にすることにより、まずカテゴリで大きく選択し、次に階層の上位から順に階層を下げて最終的なデータを選択するようにする。
かかる発明によれば、関連付けデータをカテゴリにより階層構造が可能なリストとして表示するので、データの選択が確実にしかも迅速に行うことができる。
請求項４は、前記制御手段は、前記撮影した画像をＥメールに添付して前記通信手段により送信する場合、前記サーバから前記撮影した画像を通信するための情報を取得し、該取得情報に基づいて前記撮影した画像を前記サーバに送信することを特徴とする。
カメラにより撮像された画像をＥメールに添付して送信したい場合がある。そのような場合、メールの宛先、題名、及び本文に使用する入力データが必要である。そこで本発明では、カメラからサーバに対してこれらの情報を要求して、サーバから送信してもらい、それらのデータに撮像画像を添付して送信するようにする。
かかる発明によれば、Ｅメール情報をサーバから送信してもらうので、そのデータに撮像画像を添付してＥメールとしてカメラから送信することができる。
【０００６】
請求項５は、前記制御手段は、前記撮影した画像をＥメールに添付して前記通信手段により送信する場合、前記撮影した画像に関連付けデータがあるか否かを判断して前記関連付けデータがある場合は、前記撮影した画像に前記関連付けデータを添付して前記通信手段により前記サーバに送信することを特徴とする。
また、Ｅメールに添付して撮像画像を送信する場合、カメラ内の記憶手段に関連付けデータが格納されている。従って、その関連付けデータをまず検索して、そのデータがあれば、関連付けデータも添付して送信する。なお、関連付けデータがテキストデータである場合、関連付けデータをＥメール本文や題名、宛先として利用することもできる。
かかる発明によれば、Ｅメールに撮像画像を添付して送信する場合に、さらに関連付けデータがあればそのデータも添付、或いはＥメール本文やヘッダ等に利用するので、サーバや送り先のメールプログラムにおいて自動で分類等の処理を行う際に、メール本文や題名や宛先を利用することにより、添付された画像データを処理することを行わずに容易に処理することができる。
請求項６は、前記制御手段は、前記通信手段を交換可能な構成にすることにより、複数の異なるサーバ若しくは通信方法と切替えて通信することを特徴とする。
通信方式には各種の方式がある。そこで、複数の通信カードを切り替えて使う際に、カードの情報を得たり使用者が指定することにより接続先のサーバや通信方法を切り替えることができる。例えば通信事業者により接続先のサーバが異なり、取り出せるデータの内容やデータ量が異なる場合に、各々の設定を記憶しておき、選択された接続先の設定に従ってデータの送受信を行うものである。
かかる発明によれば、通信手段を交換可能な構成にするので、関連付けされたデータを取得するための通信手段を複数持つことができる。
【０００７】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の実施形態のデジタルカメラのブロック図である。このデジタルカメラは、被写体の光学画像を集光するレンズ１と、レンズ１により集光された光束を集束する絞り部２と、図示しない複数のレンズを移動させて合焦したり、絞り部２を駆動するモータドライバ１１と、レンズ１と絞り部２を通過した光学画像を光電変換するＣＣＤ（Ｃｈａｒｇｅ　Ｃｏｕｐｌｅｄ　Ｄｅｖｉｃｅ：電荷結合素子）３と、ＣＣＤ３に含まれる雑音を低減するＣＤＳ（Ｃｏｒｒｅｌａｔｅｄ　Ｄｏｕｂｌｅ　Ｓａｍｐｌｉｎｇ）４と、ＣＣＤ３からのアナログ信号をデジタル信号に変換するＡ／Ｄ変換器５と、前記ＣＣＤ３、ＣＤＳ４、Ａ／Ｄ変換器５のタイミングを発生するタイミング発生器１３と、画像処理パラメータに従って画像処理を行うデジタル信号処理回路７と、撮像画素の記録と画像処理された画像を記憶するフレームメモリ６と、液晶（ＬＣＤ：Ｌｉｑｕｉｄ　Ｃｒｙｓｔａｌ　Ｄｉｓｐｌａｙ）により撮像画像を表示する表示部８と、デジタル信号処理回路７で処理された画像データを圧縮あるいは原画像データに伸張する画像圧縮伸張回路９と、画像圧縮伸張回路９により圧縮された画像データを格納するメモリカード１０と、制御プログラムに基づいて所定の制御を実行するＣＰＵ１４と、操作者がカメラ本体を操作するためのレリーズボタン等を備えたカメラ操作部１７と、例えばモデムモジュールとするにより電話回線を接続することによりサーバに接続される通信Ｉ／Ｆ１２と、ＣＰＵ１４の制御プログラムを格納するＲＯＭ１６と、フレームメモリ６と表示部８の制御を司る画像表示制御部１５と、ワークメモリとしての役割を持つＲＡＭ１８により構成される。
【０００８】
次に、図１を参照しながら、本構成のデジタルカメラ１００の動作概要について説明する。操作者は図示しないファインダから被写体を覗き、カメラ操作部１７のレリーズボタンを押すと、ＣＰＵ１４はその信号を検出してモータドライバ１１に対してレンズ１と絞り２を駆動して、被写体の画像をＣＣＤ３に合焦させる。これらの一連の動作は、自動的にＣＰＵ１４が図示しないセンサの情報に基づいて行われる。ＣＣＤ３に合焦された画像は、タイミング発生器１３から発生されるクロックにより順次取り出され、ＣＤＳ４によりデータに含まれる雑音を低減する。ここで、ＣＣＤ３の出力信号に含まれる雑音は、リセット雑音が支配的である。この雑音を低減するために信号期間に含まれる映像信号とリセット雑音及び、フィールドスルー期間のみに含まれるリセット雑音から両者を引き算することによりリセット雑音をキャンセルしている。そして、そのアナログ信号をＡ／Ｄ変換器５により１０ビットのデジタル信号に変換して、デジタル信号処理回路７に入力され、フレームメモリ６に一時保管される。そして、図示しないメモリに格納されたパラメータにより、ＣＰＵ１４からの指示によりフレームメモリ６に一時保管されたデータを処理し、その処理された画像をフレームメモリ６に再び格納する。さらに、フレームメモリ６に書き込まれたデータを表示部８の制御部に送り、ＬＣＤにその内容を表示する。フレームメモリ６は、少なくとも撮像画素の１画面以上の画像データを蓄積することができる画像メモリであり、例えば、ＶＲＡＭ（Ｖｉｄｅｏ　Ｒａｎｄｏｍ　Ａｃｃｅｓｓ　Ｍｅｍｏｒｙ）、ＳＲＡＭ（Ｓｔａｔｉｃ　Ｒａｎｄｏｍ　Ａｃｃｅｓｓ　Ｍｅｍｏｒｙ）、ＤＲＡＭ（Ｄｙｎａｍｉｃ　Ｒａｎｄｏｍ　Ａｃｃｅｓｓ　Ｍｅｍｏｒｙ）、あるいはＳＤＲＡＭ（Ｓｙｎｃｈｒｏｎｏｕｓ　ＤＲＡＭ）などの一般に用いられているメモリを用いる。
ここで、操作者の意思により、その画像をメモリカード１０に記録しておきたい場合、カメラ操作部１７から指示をすると、ＣＰＵ１４はそれに従って、デジタル信号処理回路７に対して画像をメモリカード１０に転送する制御を実行する。つまり、画像処理された画像をフレームメモリ６から読み出し、画像圧縮伸張回路９に送る。ここで、ＪＰＥＧ（Ｊｏｉｎｔ　Ｐｈｏｔｏｇｒａｐｈｉｃ　Ｅｘｐｅｒｔｓ　Ｇｒｏｕｐ）方式で画像を圧縮し、メモリカード１０に記憶する。この符号化アルゴリズムにはＡＤＣＴ（適応離散コサイン）を用い、最初に解像度の低い画像を符号化し、次第に解像度が高くなるような階層符号化も取り入れられる。このようにメモリカード１０は、フレームメモリ６に格納されたデータを圧縮し、その圧縮データを格納しておくためのものである。この他に、例えば８ＭＢ程度の内部メモリあるいはスマートメディア・コンパクトフラッシュ（登録商標）などに記録する構成であってもよい。
【０００９】
また、逆にメモリカード１０の内容を表示部８に表示する場合や、外部端子により他のＰＣと接続して画像データを転送したい場合は、所望のメモリカードをカメラ本体の図示しないコネクタに挿入して、カメラ操作部１７から指示すると、ＣＰＵ１４はデジタル信号処理回路７に指示してメモリカードの圧縮された画像データを読み出し、画像圧縮伸張回路９に入力して、圧縮のアルゴリズムに従ってデータを伸張して元に戻し、表示部８に画像を表示する。
また、通信Ｉ／Ｆ１２は、例えばＣＦカードスロットを用いて、各種の通信カードを装着できるようにする。携帯電話やＰＨＳなどのインターフェイスカードとして通信機器を接続することによりサーバとなるコンピュータに接続してデータの送受信を行うことができる。また無線ＬＡＮやＢｌｕｅｔｏｏｔｈを装着しても良い。また同時にＵＳＢポートを設けてＰＣと直接接続するようにしてもよく、通信手段は複数持つことができる。
【００１０】
図２は、本発明の第１の実施形態に係るデジタルカメラの動作フローチャートである。右側はサーバの動作フローチャートを表し、左側はデジタルカメラの動作フローチャートを表す。まず、デジタルカメラから回線接続のための動作を行い、サーバとの回線を接続してサーバに対して接続通知（プロトコル）を行い（Ｓ１）、リストの要求を送信する。サーバは接続が完了するとデジタルカメラからリストの要求があるか否かを判断し（Ｓ１１）、要求が無ければ（Ｓ１１でＮＯのルート）ステップＳ１３に進み、要求があれば（Ｓ１１でＹＥＳのルート）要求されたリストを応答する（Ｓ１２）。デジタルカメラはそのリストを取得して（Ｓ２）、更新データがあるか否かを判断し（Ｓ３）、無ければ（Ｓ３でＮＯのルート）ステップＳ６に進み、更新データがあれば（Ｓ３でＹＥＳのルート）データの要求を送信する。サーバはデータ要求があるか否かを判断し（Ｓ１３）、要求が無ければ（Ｓ１３でＮＯのルート）ステップＳ１５に進み、要求があれば（Ｓ１３でＹＥＳのルート）そのデータを送信する（Ｓ１４）。デジタルカメラはそのデータを取得し（Ｓ４）、データが終了するまで動作を継続する（Ｓ５）データの取得が終了すると（Ｓ５でＹＥＳのルート）、回線を切断して（Ｓ６）取得したデータをメモリに記憶する（Ｓ７）。サーバはデジタルカメラから切断通知を受信するとステップＳ１５により終了を判断して動作を終了する。
このように、関係付けデータの取得を行うためサーバに対してデータの要求を行う。サーバは要求に従ってデータを送信し、デジタルカメラはデータを受信してＲＡＭ上に記憶しておく。また、使用者が撮影を行うと、撮影された画像ファイルを作成するときに先の関係付けデータをファイルに追加する。このファイルは画像ファイルでも良いし、別ファイルであっても良い。また、すでに撮影済みのファイルに関係付けデータを追加したり置換しても良い。
【００１１】
図３は本発明の第２の実施形態に係るデジタルカメラの表示部の表示例を示す図である。複数の関係付けデータをユーザーがＬＣＤを見てキースイッチを操作することにより選択することができる。例えば、図３（ａ）の表示部２０に表示された関連付けデータカテゴリをカーソルにより選択する。この例では、会員番号２１にカーソルがあり、それを選択するのであれば図示しないＲＥＬ釦を押すことにより、図３（ｂ）のように関連付けデータとして会員番号「Ａ１０３−３３３３３」２２が選択される。このようにして必要なデータを表示部から選択することができる。また、データはカテゴリなどにより階層構造をとることができリストを表示してズームキーやレリーズキーにより操作する。そして、データはメモリカードにファイルとして記憶すれば、電源がオフ・オンした後にも利用することができる。図２の実施形態ではカメラからサーバに要求を行っているが、サーバから定期的にデータを送信するようにしてもよい。
【００１２】
図４は本発明の第３の実施形態に係るデジタルカメラの表示部の表示例を示す図である。使用者が撮影画像をＥメールに添付して送ろうとするとき、サーバに対して宛先や題名や本文に使用する入力データを要求して、サーバは要求に従ってデータを送信し、カメラはデータを受信して以降の処理に使用する。例えば、図４（ａ）の表示部２０に表示されたメール宛先選択をカーソルにより選択する。この例では、「ＮＡＫＡＮＩＳＨＩ」２３にカーソルがあり、それを選択するのであれば図示しないＲＥＬ釦を押すことにより選択される。また、図４（ｂ）のようにメール題名選択をカーソルによりする。この例では、連絡２４がＲＥＬ釦を押すことにより選択される。図４（ｃ）はＦＴＰサーバを選択する場合の表示画面である。この例ではサーバとして「ＳＥＮＤＡＩ」２５にカーソルがあり、それを選択するのであれば図示しないＲＥＬ釦を押すことにより選択される。図４（ｄ）はＦＴＰ転送先を選択する場合の表示画面である。この例では転送先として「ＧＹＯＵＭＵ」２６にカーソルがあり、それを選択するのであれば図示しないＲＥＬ釦を押すことにより選択される。
【００１３】
図５は、本発明の第４の実施形態に係るデジタルカメラの動作フローチャートである。このフローは撮影済みの画像をＥメールで送る際に撮影時に関係付けしたデータを自動的にＥメールに利用するものである。まず、表示部に通信画像を表示させてその中から通信画像を選択する（Ｓ２１）。次にその選択された通信画像の関連付けデータが存在するか否かを調べ（Ｓ２２）、無ければ（Ｓ２２でＮＯのルート）ステップＳ２６に進んでメール送信して終了する。ステップＳ２２で関連付けデータがあれば（Ｓ２２でＹＥＳのルート）そのデータが宛先データか否かを判断し（Ｓ２３）、宛先データであれば（Ｓ２３でＹＥＳのルート）宛先を設定し（Ｓ２７）ステップＳ２４に進む。宛先データでなければ（Ｓ２２でＮＯのルート）次に、そのデータが題名データか否かを判断し（Ｓ２４）、題名データであれば（Ｓ２４でＹＥＳのルート）題名を設定し（Ｓ２８）ステップＳ２５に進む。題名データでなければ（Ｓ２４でＮＯのルート）次に、そのデータが本文データか否かを判断し（Ｓ２５）、本文データであれば（Ｓ２５でＹＥＳのルート）本文を設定し（Ｓ２９）ステップＳ２６に進んで、それらのデータを送信する（Ｓ２６）。宛先データでなければ（Ｓ２５でＮＯのルート）ステップＳ２６に進んで、それらのデータを送信する（Ｓ２６）。
このように、サーバや送り先のメールプログラムにおいて自動で分類等の処理を行う際に、メール本文や題名や宛先を利用することにより添付された画像データを処理することを行わずに容易に処理ができる。
また、本発明の第５の実施形態として、複数の通信カードを切り替えて使う際に、カードの情報を得たり使用者が指定することにより、接続先のサーバや通信方法を切り替えることができる。例えば、通信事業者により接続先のサーバが異なり、取り出せるデータの内容やデータ量が異なる場合に、各々の設定を記憶しておき、選択された接続先の設定に従ってデータの送受信を行うものである。
【００１４】
【発明の効果】
以上記載のごとく請求項１の発明によれば、カメラ自体に通信手段を備え、送信する画像を通信によって得られたデータと関連付けて記録手段に保存しておくので、ＰＣやサーバにおいて検索や分類、文書作成などを自動化することができる。
また請求項２では、関連付けデータを操作部により選択可能としたので、必要なデータを選択する時間が短縮でき、操作性を向上することができる。
また請求項３では、関連付けデータをカテゴリにより階層構造が可能なリストとして表示するので、データの選択が確実にしかも迅速に行うことができる。
また請求項４では、Ｅメール情報をサーバから送信してもらうので、そのデータに撮像画像を添付してＥメールとしてカメラから送信することができる。
また請求項５では、Ｅメールに撮像画像を添付して送信する場合に、さらに関連付けデータがあればそのデータも添付、或いはＥメール本文やヘッド等に利用するので、サーバや送り先のメールプログラムにおいて自動で分類等の処理を行う際に、メール本文や題名や宛先を利用することにより、添付された画像データを処理することを行わずに容易に処理することができる。
また請求項６では、通信手段を交換可能な構成にするので、関連付けされたデータを取得するための通信手段を複数持つことができる。
【図面の簡単な説明】
【図１】本発明の実施形態のデジタルカメラのブロック図である。
【図２】本発明の第１の実施形態に係るデジタルカメラの動作フローチャートである。
【図３】本発明の第２の実施形態に係るデジタルカメラの表示部の表示例を示す図である。
【図４】本発明の第３の実施形態に係るデジタルカメラの表示部の表示例を示す図である。
【図５】本発明の第４の実施形態に係るデジタルカメラの動作フローチャートである。
【符号の説明】
３　ＣＣＤ、４　ＣＤＳ、５　Ａ／Ｄ変換器、７　デジタル信号処理回路、８表示部、１２　通信Ｉ／Ｆ、１４　ＣＰＵ、１５　画像表示制御部、１７　操作部
【図１】
2004135204.tif 000003
【図２】
2004135204.tif 000004
【図３】
2004135204.tif 000005
【図４】
2004135204.tif 000006
【図５】
2004135204.tif 000007